(57)【特許請求の範囲】
【請求項１】
透光性の振動板と、
前記振動板の背面側に配置されて、当該振動板に向けて光を照射する発光部と、
前記振動板を振動させるための信号レベルに基づき、制御値を用いて前記発光部を制御する制御部とを備え、
前記制御値は、前記発光部を駆動するための前記制御部との通信タイミング間隔を最小単位として、
前記発光部は、ＲＧＢそれぞれのＬＥＤを有する複数の発光ユニットと、前記複数の発光ユニットから発せられた光を同一経路上に導くことで、前記経路上を通過する光を前記振動板に向けて照射する導光板とを備え、
前記制御部は、前記制御値に基づいて発光色の変化点を設定した点灯テーブルを有するとともに、前記信号レベルに応じて前記複数の発光ユニットの発光色を選択し、前記複数の発光ユニットそれぞれの発光タイミングを異ならせ、なおかつ前記点灯テーブルに基づいた変化点で発光色を変化させることで、当該複数の発光ユニットから照射された光の前記導光板内での混ざり具合を制御することを特徴とするスピーカ装置。
【請求項２】
請求項１記載のスピーカ装置において、
前記導光板は、透光性を有する円弧部材を複数組み合わせることで円環状に形成されていて、
前記発光ユニットは前記円弧部材の端面に対して光を照射するように配置されていることを特徴とするスピーカ装置。
【発明の詳細な説明】
【技術分野】
【０００１】
本発明は、スピーカ装置に関する。
【背景技術】
【０００２】
近年、音楽に応じてイルミネーション効果を変化させる電飾機能を搭載したスピーカ装置が開発されている（例えば特許文献１参照）。このようなスピーカ装置には、透光性の振動板の背面側に発光ダイオードが配置されていて、当該発光ダイオードの輝度や発色が音声信号に基づいて変動するようになっている。これにより、音声出力時における演出効果が高められている。
【特許文献１】特許第４００８８９７号公報
【発明の開示】
【発明が解決しようとする課題】
【０００３】
ところで、上記のスピーカ装置は、音声信号に基づいて発光ダイオードの輝度や発色を異ならせることが可能なものであるが、近年においてはより多様なイルミネーション効果を発揮するスピーカ装置が望まれている。
【０００４】
このため、本発明の課題は、多様なイルミネーション効果を実現することのできるスピーカ装置を提供することである。
【課題を解決するための手段】
【０００５】
請求項１記載の発明に係るスピーカ装置は、
透光性の振動板と、
前記振動板の背面側に配置されて、当該振動板に向けて光を照射する発光部と、
前記振動板を振動させるための信号レベルに基づき、制御値を用いて前記発光部を制御する制御部とを備え、
前記制御値は、前記発光部を駆動するための前記制御部との通信タイミング間隔を最小単位とし、
前記発光部は、ＲＧＢそれぞれのＬＥＤを有する複数の発光ユニットと、前記複数の発光ユニットから発せられた光を同一経路上に導くことで、前記経路上を通過する光を前記振動板に向けて照射する導光板とを備え、
前記制御部は、前記制御値に基づいて発光色の変化点を設定した点灯テーブルを有するとともに、前記信号レベルに応じて前記複数の発光ユニットの発光色を選択し、前記複数の発光ユニットそれぞれの発光タイミングを異ならせ、なおかつ前記点灯テーブルに基づいた変化点で発光色を変更することで、当該複数の発光ユニットから照射された光の前記導光板内での混ざり具合を制御することを特徴としている。
【０００６】
請求項２記載の発明は、請求項１記載のスピーカ装置において、
前記導光板は、透光性を有する円弧部材を複数組み合わせることで円環状に形成されていて、
前記発光ユニットは前記円弧部材の端面に対して光を照射するように配置されていることを特徴としている。
【発明の効果】
【０００７】
本発明によれば、発光部が、ＲＧＢそれぞれのＬＥＤを有する複数の発光ユニットと、複数の発光ユニットから発せられた光を同一経路上に導くことで、経路上を通過する光を振動板に向けて照射する導光板とを備えているので、導光板内で複数の発光ユニットからの光が混ざり合うことになる。そして、複数の発光ユニットそれぞれの発光タイミングを異ならせることで、複数の発光ユニットから照射された光の導光板内での混ざり具合が変動するため、より多様なイルミネーション効果を実現することが可能となる。
【発明を実施するための最良の形態】
【０００８】
以下、図を参考にして本発明の実施形態について説明する。図１は本実施形態のスピーカ装置１の概略構成を示す説明図である。図１に示すように、スピーカ装置１には、スピーカ１０と、スピーカ１０を制御する制御部６とが設けられている。
スピーカ１０には、透光性を有した振動板２及び振動板２の中央に配置されて当該振動板２を振動させるための磁気回路３からなる出力部１１と、振動板２の背面側に配置されて、振動板に向けて光を照射する発光部４と、振動板２、磁気回路３及び発光部４を支持するフレーム５とが設けられている。
【０００９】
発光部４には、複数の発光ユニット（第１ユニット４１ａ，第２ユニット４１ｂ，第３ユニット４１ｃ，第４ユニット４１ｄ）と、複数の発光ユニット４１ａ〜４１ｄから発せられた光を同一経路上に導くことで、当該経路上を通過する光を振動板２に向けて照射する導光板４５とが備えられている。
【００１０】
発光ユニット４１ａ〜４１ｄには、ＲＧＢそれぞれのＬＥＤ４２ｒ，４２ｇ，４２ｂが同一方向に光を照射するように配置されている。そして、複数の発光ユニット４１ａ〜４１ｄのうち、少なくとも２対の発光ユニット（第１発光ユニット４１ａ、第４発光ユニット４１ｄからなる対（以下第１ユニット群４１Ａ）と、第２発光ユニット４１ｂ、第３発光ユニット４１ｃからなる対（以下第２ユニット群４１Ｂ））は、それぞれ発光側が表裏となるように背中合わせとなっている。そして、第１ユニット群４１Ａと第２ユニット群４１Ｂは、導光板４５の重心を挟むように、当該重心から延在する直線（中心線Ｌ）上に配置されている。
【００１１】
導光板４５は、図２に示すように透光性を有する２つの円弧部材４５ａ，４５ｂを組み合わせることで円環状に形成されている。この導光板４５の中心線Ｌ上付近には、第１ユニット群４１Ａ、第２ユニット群４１Ｂそれぞれが配置される隙間Ｚが設けられている。隙間Ｚ内に配置された第１ユニット群４１Ａ、第２ユニット群４１Ｂは、各ＬＥＤ４２ｒ，４２ｇ，４２ｂから発せられた光を円弧部材４５ａ，４５ｂの端面に対して光を照射するようになっていて、これにより、導光板４５内を通過する光が導光板４５を介して振動板２を照射することになる。
【００１２】
制御部６は、磁気回路３及び発光部４を制御するものである。図３は、スピーカ装置１の主制御構成を示すブロック図である。図３に示すように、制御部６には、アンプ６２を介して音楽再生機Ｍが接続される接続端子６１と、接続端子６１から入力された音声信号の信号レベルを検出する信号レベル検出器６３と、各種指示が入力される操作部６４と、各発光ユニット４１ａ〜４１ｄを駆動するためのＬＥＤドライバ６５と、操作部６４からの指示及び信号レベル検出器６３で検出された信号レベルに基づき、ＬＥＤドライバ６５を制御するマイコン６６とが設けられている。
【００１３】
マイコン６６は、ＣＰＵ６７、ＲＯＭ６８、ＲＡＭ６９からなり、ＲＯＭ６８に記憶された処理プログラムや制御データをＲＡＭ６９に展開してＣＰＵ６７によりこの処理プログラムを実行することで、ＬＥＤドライバ６５を制御している。
【００１４】
ここで、制御データとしては、例えば、各発光ユニット４１ａ〜４１ｄを点灯制御するための点灯テーブルが挙げられる。点灯テーブルは、予めＲＯＭ６８に記憶されているものが用いられるだけでなく、操作部６４により新たなものが作成可能である。作成された点灯テーブルはＲＯＭ６８に記憶される。
【００１５】
点灯テーブルについて詳細に説明する。点灯テーブルは、ＬＥＤドライバ６５とマイコン６６との通信タイミング間隔（例えば２０ｍｓ）を最小単位（制御値）として、その最小単位毎の発光色を設定するものである。ここで、具体的に、発光色を赤から青に変化させるための点灯テーブルＴ（図４参照）を例示して説明する。図４において、ＲＧＢのデューティーの最大値を２５５、点灯テーブルの１周期を制御値１１０、変化点の総数を４としている。なお、これら各値は前述の値に限定されるものではないことは勿論である。この点灯テーブルＴに示すように、変化点１〜４のＲＧＢ値のみが設定されているが、各変化点１〜４の間の制御値に対応するＲＧＢ値は、各変化点１〜４の制御値及びＲＧＢ値の差分により算出される。例えば、制御値７０のＲＧＢ値を算出する場合には、まず、制御値１１０におけるＲＧＢ値と、制御値６０におけるＲＧＢ値との差を、制御値１１０と制御値６０との差で割ることで、制御値１あたりの変化量ΔＲＧＢを求める（ΔＲ＝（０−５０）／（１１０−６０）、ΔＧ＝（０−０）／（１１０−６０）、ΔＢ＝（２５５−１５０）／（１１０−６０））。そして、変化点３におけるＲＧＢ値に対し、制御値７０と変化点３の制御値６０との差にΔＲＧＢを積算した値を加えることで、制御値７０のＲＧＢ値が求められる（Ｒ＝５０＋（７０−６０）×ΔＲ＝４０、Ｇ＝０＋（７０−６０）×ΔＧ＝０、Ｂ＝１５０＋（７０−６０）×ΔＢ＝１７１）。これを各制御値毎に行うことで、点灯テーブルＴに基づく各制御値に対応したＲＧＢ値が求められる。
【００１６】
なお、上記の例では、制御値が変化点３〜４の間にある場合を示したが、制御値が変化点１〜２の間にある場合は、変化点１，２それぞれの値を用い、変化点２〜３の間にある場合は、変化点２，３それぞれの値を用いる。
【００１７】
図５は、赤、紫、ピンク、橙、黄、黄緑、緑、エメラルド、青、濃青、黒のそれぞれをベースとした点灯テーブルの一例を示す説明図である。これら各点灯テーブルがＲＯＭ６８に記憶されている。なお、図５において、ＲＧＢのデューティーの最大値を２５５、点灯テーブルの１周期を制御値９８、変化点の総数を５としている。なお、いずれの点灯テーブルにおいても変化点１と変化点５、つまり最初と最後は点灯しないようにＲＧＢ値が全て０になっている。
【００１８】
制御プログラムは、ＲＯＭ６８中の複数の点灯テーブルから所定の点灯テーブルを選択し、その点灯テーブルに基づいてＬＥＤドライバ６５を駆動させることで、各発光ユニット４１ａ〜４１ｄのＬＥＤ４２ｒ，４２ｇ，４２ｂを点灯させるものである。
【００１９】
ここで、全ての発光ユニット４１ａ〜４１ｄは、上述したように導光板４５における同一円周上に配置されているために、それらからの光は導光板４５を通過しながら円環状に発せられることになる。具体的には、図１に示す導光板４５の上半分では、第１発光ユニット４１ａ、第２発光ユニット４１ｂからの光が通過し、導光板４５の下半分では、第３発光ユニット４１ｃ、第４発光ユニット４１ｄからの光が通過する。つまり、導光板４５の上半分では、第１発光ユニット４１ａ、第２発光ユニット４１ｂからの光が混じり合い、導光板４５の下半分では、第３発光ユニット４１ｃ、第４発光ユニット４１ｄからの光が混じり合う。例えば、第１発光ユニット４１ａ、第２発光ユニット４１ｂのそれぞれが同じ点灯タイミング、かつ同一光量で発光すると、導光板４５の上半分は均一な光を発することになる。また、第１発光ユニット４１ａ、第２発光ユニット４１ｂのそれぞれが、同一の点灯テーブルを基に同じ点灯タイミングで発光すると、導光板４５の上半分はその全体が点灯テーブルにしたがった光を発することになる。換言すると、同一の点灯テーブルを基にする場合であっても、照射タイミングを異ならせれば、導光板４５内での光の混ざり具合を制御することが可能となる。
【００２０】
このため、制御プログラムには、複数の発光ユニット４１ａ〜４１ｄそれぞれの発光タイミングを異ならせることで、当該複数の発光ユニット４１ａ〜４１ｄから照射された光の導光板４５内での混ざり具合を制御するイルミネーション制御プログラムも含まれている。
【００２１】
例えば、第１発光ユニット４１ａを基準として、そこから反時計回りに点灯テーブルＴ１，Ｔ２の順に光が回転するように見せるイルミネーション制御プログラムの場合、図６に示す通り、点灯テーブルＴ１，Ｔ２の発光タイミングを、第１発光ユニット４１ａ、第２発光ユニット４１ｂ、第３発光ユニット４１ｃ、第４発光ユニット４１ｄの順で徐々に発光タイミングを遅延時間ｔ１，ｔ２，ｔ３ずつ遅らせる。図６中、点灯テーブルＴ１，Ｔ２は異なる色をベースとしたテーブルであり、色が濃くなる毎に発光色が強くなることを表している。導光板４５の上半分においては、第１発光ユニット４１ａから光が発せられて、遅延時間ｔ１後に第２発光ユニット４１ｂから光が発せられる。この遅延によって導光板４５の上半分では、第１発光ユニット４１ａの光と、第２発光ユニット４１ｂの光とが混ざり合い、最も色味の強い部分が、徐々に第１発光ユニット４１ａから第２発光ユニット４１ｂに向かって移動することになる。一方、導光板４５の下半分においては、第１発光ユニット４１ａから光が発せられて遅延時間ｔ２後には第３発光ユニット４１ｃから光が発せられ、遅延時間ｔ３後には第４発光ユニット４１ｄが発せられる。この遅延によって導光板４５の下半分では、第３発光ユニット４１ｃの光と、第４発光ユニット４１ｄの光とが混ざり合い、最も色味の強い部分が、徐々に第３発光ユニット４１ｃから第４発光ユニット４１ｄに向かって移動することになる。これにより、導光板４５全体から見ると、照射される光が反時計回りに回転するようになる。
なお、遅延時間ｔ１，ｔ２，ｔ３を短く設定していれば、発光色が早く回転するように見え、遅延時間ｔ１，ｔ２，ｔ３を長く設定していれば、発光色が遅く回転するように見えることになる。
【００２２】
そして、イルミネーション制御プログラムでは、基準となる発光ユニット（例えば第１発光ユニット４１ａ）を点灯させる直前に、信号レベル検出器６３からの検出結果（信号レベル）を読み出し、当該検出結果に基づいて、ＲＯＭ６８中の複数の点灯テーブルから、所定の点灯テーブルを選択するようになっている。例えば、図５の点灯テーブル群の場合であると、出力可能な信号レベルを１１段階に分け、最も低い段階の信号レベルを黒の点灯テーブルに対応させて、順次段階が上がる毎に、濃青、青、エメラルド、緑、黄緑、黄、橙、ピンク、紫、赤の点灯テーブルに対応付けることも可能である。
【００２３】
次に、本実施形態の作用について図７のフローチャートを参照にして説明する。
イルミネーション制御プログラムが実行されると、ＣＰＵ６７は、信号レベル検出器６３の検出結果に基づく、点灯テーブルをＲＯＭ６８から読み出す（ステップＳ１）。
【００２４】
ステップＳ２では、ＣＰＵ６７は、各発光ユニット４１ａ〜４１ｄそれぞれの制御値を０に設定する。
ステップＳ３では、ＣＰＵ６７は、各発光ユニット４１ａ〜４１ｄそれぞれに対する制御値を遅延時間ｔ１，ｔ２，ｔ３に基づき設定する。例えば図６に示すように、遅延時間ｔ１が点灯テーブルＴ１の変化点１〜２までの時間、遅延時間ｔ２が点灯テーブルＴ１の変化点１〜３までの時間、遅延時間ｔ３が点灯テーブルＴ１の変化点１〜４までの時間に設定されている場合、第２発光ユニット４１ｂにおける制御値の初期値は変化点１〜２までの制御値の負数となる。同様に、第３発光ユニット４１ｃにおける制御値の初期値は変化点１〜３までの制御値の負数、第４発光ユニット４１ｄにおける制御値の初期値は変化点１〜４までの負数となる。なお、第１発光ユニット４１ａは、基準発光ユニットであるために、第１発光ユニット４１ａの制御値の初期値は０のままである。
【００２５】
ステップＳ４では、ＣＰＵ６７は、第１発光ユニット４１ａ（基準発光ユニット）の制御値が０であるかを判断し、０である場合（ステップＳ４：ＹＥＳ）にはステップＳ５に移行し、０でない場合（ステップＳ４：ＮＯ）にはステップＳ６に移行する。
【００２６】
ステップＳ５では、ＣＰＵ６７は、信号レベル検出器６３を制御して、現在アンプ６２から出力されている音声信号の信号レベルを検出させ、その検出結果をＲＯＭ６８に記憶させる。
【００２７】
ステップＳ６では、ＣＰＵ６７は、Ｎを１に設定する。
ステップＳ７では、ＣＰＵ６７は、複数の発光ユニット４１ａ〜４１ｄから第Ｎ発光ユニットを選択する。
【００２８】
ステップＳ８では、ＣＰＵ６７は、点灯テーブルを基に、現在の制御値に対応するＲＧＢ値を算出する。ここで、点灯テーブルは制御値が０以上からでないとＲＧＢ値が設定されていないために、制御値が０未満、つまり遅延時間内である場合には、ＲＧＢ値は０のまま（非点灯状態）である。そして、制御値が０以上になると点灯テーブルにしたがったＲＧＢ値が設定されることになる。具体的には、制御値が変化点１〜２内に収まっているときには第１発光ユニット４１ａのみが点灯し、制御値が変化点２〜３内に収まっているときには第１発光ユニット４１ａ、第２発光ユニット４１ｂが点灯し、制御値が変化点３〜４内に収まっているときには第１発光ユニット４１ａ、第２発光ユニット４１ｂ、第３発光ユニット４１ｃが点灯し、制御値が変化点４以上であるときには全ての発光ユニット４１ａ〜４１ｄが点灯することになる。
【００２９】
ステップＳ９では、ＣＰＵ６７は、第Ｎ発光ユニットの制御値を１だけカウントアップする。
ステップＳ１０では、ＣＰＵ６７は、現在の制御値が第Ｎ発光ユニットの点灯テーブルにおける最大値（例えば図４の点灯テーブルＴでは変化点４の制御値１１０）であるか否かを判断し、最大値である場合（ステップＳ１０：ＹＥＳ）にはステップＳ１１に移行し、最大値でない場合（ステップＳ１０：ＮＯ）にはステップＳ１３に移行する。
【００３０】
ステップＳ１１では、ＣＰＵ６７は、第Ｎ発光ユニットの制御値を０にリセットする。
ステップＳ１２では、ＣＰＵ６７は、ステップＳ５で記憶された検出結果に対応する点灯テーブルに変更する。
【００３１】
ステップＳ１３では、ＣＰＵ６７は、Ｎを１だけカウントアップする。
ステップＳ１４では、ＣＰＵ６７は、Ｎが５であるか否かを判断し、５である場合（ステップＳ１４：ＹＥＳ）にはステップＳ１５に移行し、５でない場合（ステップＳ１４：ＮＯ）にはステップＳ７に移行する。これにより、現在の制御値における全ての発光ユニット４１ａ〜４１ｄのＲＧＢ値が設定される。
【００３２】
ステップＳ１５では、ＣＰＵ６７は、各発光ユニット４１ａ〜４１ｄのＲＧＢ値をＬＥＤドライバ６５に転送する。この転送されたＲＧＢ値を基にＬＥＤドライバ６５が、各発光ユニット４１ａ〜４１ｄのＬＥＤ４２ｒ，４２ｇ，４２ｂを点灯させる。
【００３３】
ステップＳ１６では、ＣＰＵ６７は、通信タイミング間隔が経過したか否かを判断し、経過していない場合（ステップＳ１６：ＮＯ）にはその状態で待機し、経過した場合（ステップＳ１６：ＹＥＳ）にはステップＳ４に移行する。
【００３４】
この工程が繰り返されることにより、各発光ユニット４１ａ〜４１ｄで発せられる光が導光板４５内で混ざり合い、振動板２を介して徐々に回転移動するように見えることになる。
【００３５】
以上のように、スピーカ装置１には、ＲＧＢそれぞれのＬＥＤ４２ｒ，４２ｇ，４２ｂを有する複数の発光ユニット４１ａ〜４１ｄと、複数の発光ユニット４１ａ〜４１ｄから発せられた光を同一経路上に導くことで、経路上を通過する光を振動板２に向けて照射する導光板４５とが備えられているので、導光板４５内で複数の発光ユニット４１ａ〜４１ｄからの光が混ざり合うことになる。そして、複数の発光ユニット４１ａ〜４１ｄそれぞれの発光タイミングを異ならせることで、複数の発光ユニット４１ａ〜４１ｄから照射された光の導光板４５内での混ざり具合が変動するため、より多様なイルミネーション効果を実現することが可能となる。
特に導光板４５内で異なる発光ユニット４１ａ〜４１ｄの光が混ざり合うので、グラデーション的な発光表現も可能となる。
【００３６】
２対の発光ユニット（第１発光ユニット４１ａ及び第４発光ユニット４１ｄからなる対と、第２発光ユニット４１ｂと第３発光ユニット４１ｃとからなる対）が、それぞれ発光側が表裏となるように発光ユニット４１ａ〜４１ｄが背中合わせとなっていて、なおかつ、２対の発光ユニット４１ａ〜４１ｄは、導光板４５の中心を挟むように、当該導光板４５の中心線上に配置されているので、極力少ない発光ユニット４１ａ〜４１ｄで、光を回転しているように見せることが可能となる。
【００３７】
そして、音声信号の信号レベルによって点灯テーブルが変更されるために、スピーカ装置１から出力される音声と同期して発光光も変更されることになり、より豊かなイルミネーション効果を発揮することが可能となる。
【００３８】
なお、本発明は上記実施形態に限らず適宜変更可能であるのは勿論である。
例えば、本実施形態では音声信号の信号レベルに連動して、発光ユニット４１ａ〜４１ｄの点灯テーブルが変更される場合を例示して説明したが、信号レベルとの連動を解除することも可能である。具体的には例えば、一定時間音声信号の入力がない場合に、信号レベルとの連動を解除し、連動時とは別の点灯テーブルに基づき発光ユニット４１ａ〜４１ｄを点灯させることなどが挙げられる。
【００３９】
また、本実施形態では、導光板４５を介して光を回転させる制御について説明したが、発光タイミングを、第１発光ユニット４１ａと第４発光ユニット４１ｄとで同じにし、第２発光ユニット４１ｂと第３発光ユニット４１ｃとで同じにすることで、光を横方向へスライドさせることも可能である。
【００４０】
また、本実施形態では、発光ユニット４１ａ〜４１ｄが４つ設けられた場合を例示して説明したが、発光ユニットの設置個数は複数であればこれに限定されるものではない。また、設置箇所においても上記の場所に限定されるものではない。
【００４１】
そして、本実施形態では、１つのスピーカ１０に対して発光制御を行う場合を例示して説明したが、複数のスピーカに対して発光制御を行うことも可能である。この場合、全てのスピーカの発光部を同期させて制御することや、それぞれ個別に制御することが可能である。
【００４２】
具体的に説明すると、複数のスピーカ（例えばウーファーとツイター）を同期させて制御する場合には、図８に示すように、ツイター磁気回路３ａ及びウーファー磁気回路３ｂをアンプ６２に接続するともに、ウーファー発光部４Ａを駆動するための第１ＬＥＤドライバ６５ａと、ツイター発光部４Ｂを駆動するための第２ＬＥＤドライバ６５ｂとを制御部６Ａに搭載し、これら第１ＬＥＤドライバ６５ａと第２ＬＥＤドライバ６５ｂに対してマイコン６６から同じ信号が入力されるように、第１ＬＥＤドライバ６５ａ、第２ＬＥＤドライバ６５ｂ及びマイコン６６を接続する。これにより、第１ＬＥＤドライバ６５ａと第２ＬＥＤドライバ６５ｂに対してはマイコン６６から同じＲＧＢ値が同タイミングで入力されるために、ウーファー発光部４Ａとツイター発光部４Ｂとは同期して発光することになる。
【００４３】
一方、複数のスピーカ（例えばウーファーとツイター）を個別に制御する場合には、図９に示すように、第１ＬＥＤドライバ６５ａと第２ＬＥＤドライバ６５ｂに対してマイコン６６から異なる信号が入力されるように、第１ＬＥＤドライバ６５ａ、第２ＬＥＤドライバ６５ｂ及びマイコン６６を接続する。これにより、第１ＬＥＤドライバ６５ａと第２ＬＥＤドライバ６５ｂに対してはマイコン６６から異なるＲＧＢ値が入力されるために、ウーファー発光部４Ａとツイター発光部４Ｂとは個別に発光することになる。
【００４４】
また、本実施形態では、音声信号の信号レベルに基づいて複数の発光ユニット４１ａ〜４１ｄから照射された光の導光板４５内での混ざり具合が変動する場合を例示して説明したが、外部コントローラ（例えばリモコン）等から入力された指示信号に基づいて光の混ざり具合を変動させるようにすることも可能である。
【図面の簡単な説明】
【００４５】
【図１】本実施形態に係るスピーカ装置の概略構成を示す説明図である。
【図２】図１のスピーカ装置に備わる発光部の概略構成を示す説明図である。
【図３】図１のスピーカ装置の主制御構成を示すブロック図である。
【図４】本実施形態に係るスピーカ装置で用いられる点灯テーブルの一例を示す説明図である。
【図５】本実施形態に係るスピーカ装置で用いられる、赤、紫、ピンク、橙、黄、黄緑、緑、エメラルド、青、濃青、黒のそれぞれをベースとした点灯テーブルの一例を示す説明図である。
【図６】図４における点灯テーブルの発光タイミングを、各発光ユニットで遅延させた状態示す説明図である。
【図７】図１のスピーカ装置で実行されるイルミネーション制御プログラムの流れを示すフローチャートである。
【図８】図１のスピーカ装置の変形例の主制御構成を示すブロック図である。
【図９】図１のスピーカ装置の変形例の主制御構成を示すブロック図である。
【符号の説明】
【００４６】
１      スピーカ装置
２      振動板
３      磁気回路
４      発光部
５      フレーム
６      制御部
１０      スピーカ
４１Ａ    ユニット群
４１Ｂ    ユニット群
４１ａ〜４１ｄ  発光ユニット
４２ｒ，４２ｇ，４２ｂ  ＬＥＤ
４５      導光板
４５ａ，４５ｂ  円弧状部材
６１      接続端子
６２      アンプ
６３      信号レベル検出器
６４      操作部
６５      ＬＥＤドライバ
６６      マイコン
Ｍ      音楽再生機
【図１】
0005151474.tif 000002
【図２】
0005151474.tif 000003
【図３】
0005151474.tif 000004
【図４】
0005151474.tif 000005
【図５】
0005151474.tif 000006
【図７】
0005151474.tif 000007
【図８】
0005151474.tif 000008
【図９】
0005151474.tif 000009
【図６】
0005151474.tif 000010